(57)【要約】          【課題】所望の方向に光を効率的に照射できる照明器具を提供すること。【解決手段】器具本体１と、器具本体１に取り付けられる直管型ＬＥＤランプ２と、直管型ＬＥＤランプ２からの照射光を反射によって制御する反射板３を備え、反射板３は照射対象方向とは逆側にあり直管型ＬＥＤランプ２の長手方向に沿って位置し、断面が略Ｖ字形状の第１反射部４を備え、かつ、第１反射部は直管型ＬＥＤランプ２側に突出し、第１反射部４は反射光が光源によって遮られない方向に向けて照射光を反射によって制御することを特徴とする照明器具である。【選択図】図１
2013118084.tif 000002
【特許請求の範囲】
【請求項１】
器具本体と、この器具本体に取り付けられる直管型ＬＥＤランプと、この直管型ＬＥＤランプからの照射光を反射によって制御する反射板を備え、この反射板は照射対象方向とは逆側にあり前記直管型ＬＥＤランプの長手方向に沿って位置し、断面が略Ｖ字形状の第１反射部を備え、かつ、この第１反射部は前記直管型ＬＥＤランプ側に突出し、この第１反射部は反射光が光源によって遮られない方向に向けて照射光を反射によって制御することを特徴とする照明器具。
【請求項２】
請求項１に記載の照明器具において、前記反射板が前記第１反射部の両側に第２反射部を備え、この第２反射部は前記第１反射部からの反射光を照射対象方向へと反射によって制御することを特徴とする照明器具。
【請求項３】
請求項２に記載の照明器具において、前記第１反射部と前記第２反射部の間に位置する第３反射部を備え、この第３反射部は前記直管型ＬＥＤランプからの照射光を照射対象方向へと反射によって制御することを特徴とする照明器具。
【請求項４】
請求項３に記載の照明器具において、前記第２反射部の外側に第４反射部を備え、この第４反射部は前記直管型LEDランプからの照射光を、前記直管型LEDランプから照射対象面との間を照射するよう反射によって制御することを特徴とする照明器具。
【請求項５】
請求項４に記載の照明器具において、前記第４反射部による反射光を前記直管型LEDランプ周辺へ照射するように反射によって制御することを特徴とする照明器具。
【請求項６】
請求項１〜４のうちいずれか１つの照明器具において、前記反射板の形状が、同一の反射部で反射した反射光が平行に進行するように成型された形状を有したことを特徴とする照明器具。
【発明の詳細な説明】
【技術分野】
【０００１】
本発明は、直管方ＬＥＤランプを光源として天井面側に設置される照明器具に関する。
【背景技術】
【０００２】
従来、器具本体に直管型ＬＥＤランプを取り付けた照明器具が知られている（例えば、特許文献１参照）。また、反射板を有効に活用したＬＥＤ照明装置も知られている（例えば、特許文献２参照）。
【先行技術文献】
【特許文献】
【０００３】
【特許文献１】実用新案登録第３１６３４４３号公報
【特許文献２】特開２０１１−７０９９２号公報
【発明の概要】
【発明が解決しようとする課題】
【０００４】
特許文献１に記載の照明器具は、直管型ＬＥＤランプが器具本体のソケットに機械的及び電気的に接続された状態において照射方向を変更できない。従って、特許文献１に記載の照明器具は、所望の方向へ光を照射できない。
【０００５】
また、特許文献２に記載の照明器具は、反射板を有効に活用するべく、直管型ＬＥＤランプ内部の基板の両面にＬＥＤを設置する構造をとっている。しかし、単純にＬＥＤの個数を増やすと、熱が生じてＬＥＤの寿命を短くする問題が生じる。
【０００６】
本発明は、前述した課題を解決するためになされたものであり、その目的は、ＬＥＤの設置個数を増やさずとも、所望の方向に光を効率的に照射できる照明器具を提供することにある。
【課題を解決するための手段】
【０００７】
本発明は、器具本体と、この器具本体に取り付けられる直管型ＬＥＤランプと、この直管型ＬＥＤランプからの照射光を反射によって制御する反射板を備え、この反射板は照射対象方向とは逆側にあり前記直管型ＬＥＤランプの長手方向に沿って位置し、断面が略Ｖ字形状の第１反射部を備え、かつ、この第１反射部は前記直管型ＬＥＤランプ側に突出し、この第１反射部は反射光が光源によって遮られない方向に向けて照射光を反射によって制御することを特徴とする照明器具である。
【０００８】
また、前記照明器具は、前記第１反射部の両側に第２反射部を備え、この第２反射部は前記第１反射部からの反射光を照射対象方向へと反射によって制御することを特徴とする照明器具であってもよい。
また、前記照明器具は、前記第１反射部と前記第２反射部の間に位置する第３反射部を備え、この第３反射部は前記直管型ＬＥＤランプからの照射光を照射対象方向へと反射によって制御することを特徴とする照明器具であってもよい。
【０００９】
また、前記照明器具は、前記第２反射部の外側に第４反射部を備え、この第４反射部は前記直管型LEDランプからの照射光を、前記直管型LEDランプから照射対象面との間を照射するよう反射によって制御することを特徴とする照明器具であってもよい。
【００１０】
なお、前記照明器具は、前記第４反射部による反射光を前記直管型LEDランプ周辺へ照射するように反射によって制御することを特徴とする照明器具であってもよい。
【００１１】
また、前記照明器具において、前記反射板の形状が、同一の反射部で反射した反射光が平行に進行するように成型された表面形状を有したことを特徴とする照明器具であってもよい。
【発明の効果】
【００１２】
本発明に係る照明器具によれば、所望の方向へ効率的に光を照射できる。
【図面の簡単な説明】
【００１３】
【図１】本発明に係る実施形態の照明器具の短手方向の垂直断面図。
【図２】本発明に係る実施形態の照明器具に適用される直管型LEDランプの垂直断面図。
【図３】本発明に係る実施形態の反射板の断面図および第１反射部により反射された光路。
【図４】本発明に係る実施形態の反射板の断面図および第１反射部および第２反射部により反射された光路。
【図５】本発明に係る実施形態の反射板の断面図および第３反射部により反射された光路。
【図６】本発明に係る実施形態の反射板の断面図および第４反射部により反射された光路。
【発明を実施するための形態】
【００１４】
以下、本願の一実施形態の照明器具について図面を参照して説明する。
【００１５】
図１に示すように、本願の一実施形態は、器具本体１と、器具本体１に取り付けられる直管型ＬＥＤランプ２と、直管型ＬＥＤランプ２からの照射光を反射によって制御する反射板３を備え、この反射板３は照射対象方向とは逆側にあり直管型ＬＥＤランプ２の長手方向に沿って位置し、断面が略Ｖ字形状の第１反射部４を備え、かつ、この第１反射部４は直管型ＬＥＤランプ２側に突出し、第１反射部４は反射光が光源で遮られない方向に向けて照射光を反射によって制御する。
【００１６】
また、反射板３が第１反射部４の両側に第２反射部５を備え、第２反射部５は第１反射部４の反射光を照射対象方向へと配光制御する。
【００１７】
そして、第１反射部４と第２反射部５の間に位置する第３反射部６を備え、第３反射部６は直管型ＬＥＤランプ２からの照射光を照射対象方向へと配光制御する。
【００１８】
また、反射板３が第４反射部７を備え、第４反射部７は直管型ＬＥＤランプ２からの照射光を照射対象方向側へ照射するように配光制御する。照射対象面と直管型LEDランプ２との間を照射することによって、直管型LEDランプ２の直下の暗がりを防ぐことができる。なお、第４反射部７による反射光を直管型LEDランプ２周辺へ照射するように配光制御することも出来る。
【００１９】
また、ここで上記に示す反射部（４，５，６，７）の表面形状は、反射した反射光が平行に進行するように成形された表面形状を有していることを特徴とする。たとえば、表面形状がパラボラ形状になっていることが考えられる。材料としては成形のしやすいアルミニウムが考えられ、銀色鏡面仕上げをなされたものからなる。
【００２０】
以下、器具本体１の説明および各反射部の詳細な説明を行う。
【００２１】
図１に示すように、本願に係る照明器具１０は、器具本体１と、器具本体１の長手方向の両端部にソケット台８を介して取り付けられた一対のソケット９とを備える。
【００２２】
さらに、器具本体１は、第１反射部４の上部であり器具本体１の下面に取り付けられた電源ユニット１１を備える。
【００２３】
なお、ソケット９は、直管型LEDランプ２の光軸方向が第１反射部４の方向に固定することが可能な保持部の役目を果たす。
【００２４】
ここで、図２を用いて直管型LEDランプ２について説明する。
【００２５】
ガラス管１４内に、複数のLED１５を長手方向に実装させたLED基板１６を有するLEDユニット１７を内蔵している。
【００２６】
そして、複数のLED１５は電源ユニット１１と電気的および機械的に接続され、直管型LEDランプ２が点灯される。
【００２７】
次に各反射部の説明を行う。
【００２８】
図３に示すように、第１反射部４は、断面が略V字形状であることから、直管型LEDランプ２の照射光を器具本体１の外側方向へ反射によって制御することが可能である。
【００２９】
従来の平面または半円形の形状である反射板では、反射光が照射光と同経路をたどり、反射光が蛍光灯等の発光体に遮られることがある。
【００３０】
そこで、第１反射部４の形状を採用することにより、反射光が直管型ＬＥＤランプ２によって遮られることによる損失がなく、所望の方向へ有効に光を照射できる。
【００３１】
続いて図４を用いて、第２反射部５について説明を行う。
【００３２】
第２反射部５は、第１反射部４により反射された反射光を受光する場所に位置し、第１反射部４からの反射光を受け取る。
【００３３】
そして、第２反射部５の入射光を直管型LEDランプ２によって遮られない方向かつ狙いの方向へと反射させる特徴を有している。
【００３４】
続いて図５を用いて、第３反射部６について説明を行う。
【００３５】
第３反射部６は、第１反射部４と第２反射部５の間に位置する。第３反射部６は直管型LEDランプ２からの照射光を直接受け、直管型LEDランプ２により反射光が遮られない方向へと照射すると共に、第２反射部によって照射された照射光と照射対象面で交わることで、照射対象面の光量がより高くなり、照射対象面の明るさを際立てる効果を発揮する。その結果、照明器具としての性能が向上する。
【００３６】
そして、反射光と直管型LEDランプ２が干渉しないことにより、照射対象面上に直管型LEDランプ２による影の映り込みを防止することができる。
【００３７】
また、第１反射部４および第３反射部６によりＬＥＤの全発光光束の約７０％を受けるよう、器具本体１の設計を行うことが有効である。例えば、ある直管型ＬＥＤランプの全光束の７０％の光を含む範囲が光軸の左右６０度の範囲であるとすれば、光軸から左右６０度の延長線上に第３反射部６の外側端辺が位置するように設計するとよい。
【００３８】
続いて図６を用いて、第４反射部７について説明を行う。
【００３９】
従来の直管型LEDランプにおいて、LEDチップは直管型LEDランプの断面で示すと、片面のみに設置されている。すなわち、LEDチップの設置面とは逆面が発光せず、光を照射することはない。
【００４０】
そこで、第４反射部７への入射光を、直管型LEDランプ２と照射対象面の間を照射するよう設計することが有効である。そのように設計することにより、直管型LEDランプ２の下面にLED１５が付いていないことにより、直管型LEDランプ２と照射対称面の間と、その他周辺との光量の差による明るさの差を軽減することができる。
【００４１】
また、第４反射部７への入射光を直管型ＬＥＤランプ２の中心よりも下側を照射するよう設計する。その結果、ＬＥＤランプ半面にLEDチップが付いていないことにより発生する、直管型LEDランプ２自身の暗がりを改善することができ、見栄えをよくすることができる。
【００４２】
また、少なくとも第１反射部４を有することで、本発明の効果である、効率的に光を反射できるという点を発揮することができる。
【符号の説明】
【００４３】
１  器具本体
２  直管型LEDランプ
３  反射板
４  第１反射部（反射部）
５  第２反射部（反射部）
６  第３反射部（反射部）
７  第４反射部（反射部）
８  ソケット台
９  ソケット
１０  照明器具
１１  電源ユニット
１４  ガラス管
１５  LED
１６  LED基板
１７  LEDユニット
【図１】
2013118084.tif 000003
【図２】
2013118084.tif 000004
【図３】
2013118084.tif 000005
【図４】
2013118084.tif 000006
【図５】
2013118084.tif 000007
【図６】
2013118084.tif 000008